(57)【要約】【課題】記録媒体に記録されたグループに属していないデータを再生するにあたり、情報の記憶容量を低減することである。【解決手段】データとしてのトラック及びトラックが属するグループのグループ管理情報が記録された記録媒体としての光ディスク１のトラックを再生する光ピックアップ３等の再生手段と、光ディスク１にグループに属していないデータが記録されている場合に、前記グループ管理情報に基づいて光ディスク１の全データのうちのグループに属していないデータを検索し、検索したデータを前記再生手段に再生させるシステムコントローラ１０と、を備える。【選択図】図１
2007004890.tif 000002
【特許請求の範囲】
【請求項１】
データ及びデータが属するグループのグループ管理情報が記録された記録媒体のデータを再生する再生手段と、
前記記録媒体にグループに属していないデータが記録されている場合に、前記グループ管理情報に基づいて前記記録媒体の全データのうちのグループに属していないデータを検索し、検索したデータを前記再生手段に再生させる制御手段と、を備えることを特徴とする再生装置。
【請求項２】
前記記録媒体から読み出されたグループ管理情報を記憶する記憶手段を備え、
前記制御手段は、前記記憶手段に記録されたグループ管理情報に基づいて、グループに属していない単位データの識別情報を検索することを特徴とする請求項１に記載の再生装置。
【請求項３】
操作入力を受け付ける操作手段を備え、
前記操作手段を介してグループに属していないデータの再生指示が入力された場合に、前記グループに属していないデータを検索し、検索したデータを前記再生手段に再生させることを特徴とする請求項１又は２に記載の再生装置。
【請求項４】
前記制御手段は、前記操作手段を介して再生中のグループに属していないデータの停止指示が入力された場合に、その停止位置情報を生成し、前記操作手段を介して再生していたデータ再生の再開指示が入力された場合に、前記停止位置情報に基づいて再生していたデータを前記再生手段に再生させ、前記グループに属していない未再生のデータを検索し、検索したデータを前記再生手段に再生させることを特徴とする請求項３に記載の再生装置。
【請求項５】
前記制御手段は、前記操作手段を介してグループに属していないデータの繰り返し再生指示が入力された場合に、前記グループに属していないデータを検索し、検索したデータを前記再生手段に再生させることを繰り返すことを特徴とする請求項３又は４に記載の再生装置。
【請求項６】
前記データは、識別情報が付与され、
前記制御手段は、前記記録媒体にグループに属していないデータが記録されている場合に、前記グループ管理情報に基づいて前記記録媒体の全データのうちのグループに属していないデータの識別情報を検索し、検索した識別情報に対応するデータを前記再生手段に再生させることを特徴とする請求項１から５のいずれか一項に記載の再生装置。
【請求項７】
前記制御手段は、前記グループ管理情報に基づいて前記記録媒体の全データのうちのグループに属していない未検索の一つのデータを検索し、当該検索した一つのデータを前記再生手段に再生させることを繰り返すことを特徴とする請求項１から６のいずれか一項に記載の再生装置。
【請求項８】
コンピュータに、
データ及びデータが属するグループのグループ管理情報が記録された記録媒体のデータを再生する機能と、
前記記録媒体にグループに属していないデータが記録されている場合に、前記グループ管理情報に基づいて前記記録媒体の全データのうちのグループに属していないデータを検索し、検索したデータを再生させる機能と、
を実現させるための再生プログラム。
【発明の詳細な説明】
【技術分野】
【０００１】
本発明は、再生装置及び再生プログラムに関する。
【背景技術】
【０００２】
従来、音声データをトラック単位で管理及び再生可能な記録媒体として、ＭＤ（Mini Disc）等が実施されている。ＭＤには、音声データを記憶するデータ領域と、それらのデータに関する管理情報を書き込むＴＯＣ（Table Of Contents）領域とを有する。ＭＤにおいて、少なくとも一つのトラックをグループとして一まとめにし、そのグループ単位でデータの管理が可能な再生（記録）装置が実施されている（例えば、特許文献１参照）。
【０００３】
図８を参照して、ＭＤにおけるグループ管理を説明する。図８（ａ）に、正しいグループ管理の一例を示す。図８（ｂ）に、誤ったグループ管理の一例を示す。
【０００４】
先ず、前提となるＭＤの仕様を説明する。最小トラック番号MINTNOから最大トラック番号MAXTNOまで、欠番、重複なく連続したトラック番号が存在するものとする。
【０００５】
次いで、前提となるＭＤのグループ管理の仕様を説明する。第１に、グループの開始トラック番号START TNO（Track Number）と、グループの終了トラック番号END TNOと、でグループの範囲を示すものとする。第２に、一つのTNOは、重複して複数のグループに属することはないものとする。第３に、MINTNOからMAXTNOに向かって昇順でグループ情報を記述していくものとする。第４に、グループに属していないトラックも認めるものとする。第５に、グループ情報は、ＴＯＣ領域のディスクタイトルエリアとして記述するものとする（但し、再生装置ではこれらの情報を表示しないようにしている）。
【０００６】
第６に、グループ情報の記述は、START TNOとEND TNOとを「-」でつなぎ、「;」を続けて記述し、グループ名がある場合には続けて記述し、「//」で終わるものとする。例えば、START TNOが１でEND TNOが６のグループは「1-6;GroupName//」のように記述する。但し、以下の説明では、グループ名が不要なため、その説明及び記述を省略するものとする。第７に、グループ情報を記述する際の実際のディスクタイトルは、ディスクタイトルエリアの先頭に「0;」を記述し、「//」までの間に記述する。例えば、「0;DiscTitle//1-6;//」のように記述する。但し、以下の説明では、ディスクタイトルが不要なため、その説明及び記述を省略するものとする。
【０００７】
１枚のＭＤには、規格上、トラックが１から２５５まで、グループが１から９９まで記録できる。以下、TNO＝ｉ（ｉ：１〜２５５）のトラックをトラックＴｉと示し、GNO＝ｊ（ｊ：１〜９９）のグループをグループＧｊと示す。
【０００８】
上記仕様に合った正しいグループの一例を図８（ａ）に示す。この例では、MINTNO＝１、MAXTNO＝２０とする。また、GNO＝１〜３の３つのグループＧ１〜Ｇ３が存在する。この例では、TNO＝１，７，８，２０のトラックＴ１，Ｔ７，Ｔ８，Ｔ２０は、グループＧ１〜Ｇ３に属しない。ディスク情報の記述は、「2-6;//9-16;//17-19//」となる。
【０００９】
上記仕様に合っていない誤ったグループの一例を図８（ｂ）に示す。この例では、図８（ａ）の例に、新たにGNO＝４のグループＧ４を追加したものである。ディスク情報の記述は、「2-6;//9-16;//17-19//6-8;//」となるが、グループＧ１及びグループＧ４にTNO＝６のトラックＴ６が重複して属しており、またTNOが昇順に記述されていないため、誤ったものとなる。正しく記述すると、「2-6;//7-8;//9-16;//17-19//」となる（トラックＴ６はグループＧ１に属するものとした）。以下、グループ管理情報を含むディスク情報は、ディスクタイトルとして説明するものとする。
【００１０】
また、グループ管理に対応したＭＤの再生装置は、例えば、次に挙げるような機能を有する。第１に、グループ再生モードのオン／オフが可能であり、オフにしたときに、従来の装置と同様に、MINTNOからMAXTNOまでトラックを続けて再生する機能である。第２に、グループ再生モードをオンにしたときに、グループ単位でトラックを再生する機能である。例えば、選択されたグループのSTART TNOからEND TNOまでのトラックを再生して停止する。
【００１１】
第３に、グループ単位で頭出しする機能（各グループのSTART TNOをサーチする機能）である。第４に、グループ再生モードをオンにしたときに、グループに属していないトラックをひとまとまりにして再生する機能である。この機能がないと、グループ再生モードオンにおいて、グループに属していないトラックは再生できない。
【００１２】
グループ情報が記録されたＭＤにおいて、グループに属していないトラックをひとまとまりにして再生する方法としては、例えば、グループに属していないトラックの情報をひとまとめにしてグループ管理情報を生成し、その生成したグループ管理情報をメモリに記憶して管理し、そのグループ管理情報に基づいて再生する構成が考えられている（例えば、特許文献２、３参照）。
【００１３】
この構成の一例を、図９を参照して説明する。図９（ａ）に、未登録集合を含むグループ情報を示す。図９（ｂ）に、ポインタ及びトラック番号の配列を示す。
【００１４】
図９（ａ）に示すように、グループＧ１〜Ｇ９９及びこれらのグループに未登録な未登録集合Ｇ０が存在し、各グループ、集合について、そのグループ、集合に属する最初のトラックを示すポインタとしてのSP（スタートポインタ（アドレス））と、そのグループ、集合に属する最後のトラックを示すポインタとしてのEP（エンドポインタ（アドレス））とが関連付けられている。ポインタの番号は、TNOのうちから選択されるので、１〜２５５のように示される。
【００１５】
図９（ｂ）に示すように、ポインタとTNOとが関連付けられている。図９（ａ）、（ｂ）の表のポインタの対応付けにより、各グループＧ１〜９９及び未登録集合Ｇ０における、START TNO（SPに対応）及びEND TNO（EPに対応）が生成されてメモリに格納される。
【００１６】
この例では、全２５５のトラックＴ１〜Ｔ２５５のうち、２５３個のトラックがグループ登録され、トラックＴ１３，Ｔ２０がグループに未登録である。また、図９（ａ）、（ｂ）の各表の最下段が実際にメモリに記憶される情報である。また、ディスクタイトルには、「1-5;//6-10;//11-12//14-19;//21…省略…255;//」と記述される。未登録集合Ｇ０には、ポインタが２５４、２５５に対応するトラックＴ１３、Ｔ２０が登録されている。
【００１７】
また、グループ情報が記録されたＭＤにおいて、グループに未登録のトラックを１まとまりとし、さらにこれを連続したトラック番号になるようにトラックの順を移動（再配列）してそのＭＤに記録し、グループ登録する構成も考えられている（例えば、特許文献４参照）。このグループを再登録して記録されたＭＤを他の再生装置で再生しても、未登録であったトラックを再生できるものである。
【特許文献１】特開２００２−４２４２５号公報
【特許文献２】特開２００４−２２１０８号公報
【特許文献３】特開２００３−３１７４５３号公報
【特許文献４】特開２００２−３５３８７６３号公報
【発明の開示】
【発明が解決しようとする課題】
【００１８】
しかし、ＭＤのグループに未登録のトラックを再生する場合に、従来の上記図９に示すような未登録集合のグループ情報を作成する構成では、再生装置のメモリについて、未登録集合のグループ情報の分だけ大きなメモリ容量が必要となり、製品コストが高くなるという問題があった。例えば、図９の例では、グループ情報としては、２５５（TNO）＋１００（グループ９９＋未登録集合１）＊２（SP及びEP）＝４５５[バイト]のメモリ容量が必要であった。
【００１９】
また、従来の未登録のトラックの集合を再配列してＭＤに記録する構成では、ＭＤへデータを記録する装置及び工程が必要であるため、その構成が複雑になるという問題があった。特に、再生専用の装置では、本来記録のための構成を備える必要がなく、未登録トラック再生のためだけに記録するための構成を備えるのは極めて不経済である。
【００２０】
本発明の課題は、記録媒体に記録されたグループに属していないデータを再生するにあたり、記録装置、再生専用装置を問わず再生を可能にすることである。
【課題を解決するための手段】
【００２１】
上記課題を解決するため、請求項１に記載の発明は、
データ及びデータが属するグループのグループ管理情報が記録された記録媒体のデータを再生する再生手段と、
前記記録媒体にグループに属していないデータが記録されている場合に、前記グループ管理情報に基づいて前記記録媒体の全データのうちのグループに属していないデータを検索し、検索したデータを前記再生手段に再生させる制御手段と、を備えることを特徴とする再生装置である。
【００２２】
請求項２に記載の発明は、請求項１に記載の再生装置において、
前記記録媒体から読み出されたグループ管理情報を記憶する記憶手段を備え、
前記制御手段は、前記記憶手段に記録されたグループ管理情報に基づいて、グループに属していない単位データの識別情報を検索することを特徴とする。
【００２３】
請求項３に記載の発明は、請求項１又は２に記載の再生装置において、
操作入力を受け付ける操作手段を備え、
前記操作手段を介してグループに属していないデータの再生指示が入力された場合に、前記グループに属していないデータを検索し、検索したデータを前記再生手段に再生させることを特徴とする。
【００２４】
請求項４に記載の発明は、請求項３に記載の再生装置において、
前記制御手段は、前記操作手段を介して再生中のグループに属していないデータの停止指示が入力された場合に、その停止位置情報を生成し、前記操作手段を介して再生していたデータ再生の再開指示が入力された場合に、前記停止位置情報に基づいて再生していたデータを前記再生手段に再生させ、前記グループに属していない未再生のデータを検索し、検索したデータを前記再生手段に再生させることを特徴とする。
【００２５】
請求項５に記載の発明は、請求項３又は４に記載の再生装置において、
前記制御手段は、前記操作手段を介してグループに属していないデータの繰り返し再生指示が入力された場合に、前記グループに属していないデータを検索し、検索したデータを前記再生手段に再生させることを繰り返すことを特徴とする。
【００２６】
請求項６に記載の発明は、請求項１から５のいずれか一項に記載の再生装置において、
前記データは、識別情報が付与され、
前記制御手段は、前記記録媒体にグループに属していないデータが記録されている場合に、前記グループ管理情報に基づいて前記記録媒体の全データのうちのグループに属していないデータの識別情報を検索し、検索した識別情報に対応するデータを前記再生手段に再生させることを特徴とする。
【００２７】
請求項７に記載の発明は、請求項１から６のいずれか一項に記載の再生装置において、
前記制御手段は、前記グループ管理情報に基づいて前記記録媒体の全データのうちのグループに属していない未検索の一つのデータを検索し、当該検索した一つのデータを前記再生手段に再生させることを繰り返すことを特徴とする。
【００２８】
請求項８に記載の発明は、
コンピュータに、
データ及びデータが属するグループのグループ管理情報が記録された記録媒体のデータを再生する機能と、
前記記録媒体にグループに属していないデータが記録されている場合に、前記グループ管理情報に基づいて前記記録媒体の全データのうちのグループに属していないデータを検索し、検索したデータを再生させる機能と、
を実現させるための再生プログラムである。
【発明の効果】
【００２９】
本発明によれば、記録媒体に記録されたグループに属していないデータを再生するにあたり、記録装置、再生専用装置を問わず再生を可能にすることができる。
【発明を実施するための最良の形態】
【００３０】
以下、添付図面を参照して本発明に係る第１〜第４の実施の形態を順に詳細に説明する。ただし、発明の範囲は、図示例に限定されない。
【００３１】
（第１の実施の形態）
図１〜図４を参照して、本発明に係る第１の実施の形態を説明する。先ず、図１を参照して、本実施の形態の再生装置１００の装置構成を説明する。図１に、本実施の形態の再生装置１００の構成を示す。
【００３２】
図１に示すように、本実施の形態の再生装置１００は、記録媒体としての光ディスク１に記録された音声データを再生する装置である。再生装置１００は、スピンドルモータ２と、光ピックアップ３と、送りモータ４と、ＲＦ（Radio Frequency）アンプ５と、デジタル信号処理回路６と、ＤＡＣ（Digital-to-Analog Converter）７と、アンプ８と、スピーカ９と、システムコントローラ１０と、操作手段としての操作部１１と、表示部１２と、ＴＯＣメモリ１３と、メモリ１４と、不揮発メモリ１５と、を備えて構成される。
【００３３】
なお、再生装置１は、再生専用の装置として説明するが、これに限定されるものではなく、光ディスク１に記録されたデータの再生機能に加えて、光ディスク１にデータを記録する機能を有する装置としてもよい。
【００３４】
また、スピンドルモータ２、光ピックアップ３、送りモータ４、ＲＦアンプ５、デジタル信号処理回路６、ＤＡＣ７、アンプ８及びスピーカ９により、再生手段が構成される。
【００３５】
光ディスク１は、楽曲データ等のデジタルの音声データ等のデータが記録される記録媒体としてＭＤ（Mini Disc）とする。
【００３６】
スピンドルモータ２は、デジタル信号処理回路６に制御されて、ターンテーブルやクランプ機構にて保持する光ディスク１を、所定の回転速度で回転駆動する。
【００３７】
光ピックアップ３は、デジタル信号処理回路６の制御により、光ディスク１にレーザ光を照射して音声データ等の記録データの再生を可能とするためのものである。より詳細には、記録データを光ディスク１から再生する際、磁気カー効果を利用して受けた反射光によりデータ信号を検出可能とする低レベルのレーザ光を出力する。光ピックアップ３は、検出したデータ信号をＲＦアンプ５に出力する。
【００３８】
送りモータ４は、デジタル信号処理回路６の制御により、光ディスク１の半径方向に、光ピックアップ３を移動させる。
【００３９】
ＲＦアンプ５は、光ピックアップ３が検出した信号を増幅するとともに演算処理等を実行することにより、データ信号である再生ＲＦ信号、トラッキングエラー（ＴＥ）信号、フォーカスエラー（ＦＥ）信号及び光ディスク１に記録されている絶対位置（ＡＤＩＰ；ADdress In Pregroove）情報の信号等を抽出するものである。ＲＦアンプ５は、抽出した各種信号をデジタル信号処理回路６に出力する。
【００４０】
デジタル信号処理回路６は、システムコントローラ１０により制御される。デジタル信号処理回路６は、音声データを光ディスク１より再生する場合に、ＲＦアンプ５が抽出した再生信号にエラー訂正等を施してメモリ１４に出力し、メモリ１４から読み出された圧縮された音声データにデコード処理を施してデジタルの音声データを生成する。デジタル信号処理回路６は、デコード処理により生成したデジタルの音声データをＤＡＣ７に出力し、ＲＦアンプ５が抽出した信号等に基づいて、スピンドルモータ２、光ピックアップ３及び送りモータ４に駆動用の制御信号を出力する。
【００４１】
ＤＡＣ７は、デジタル信号処理回路６から入力されたデジタルの音声データをアナログの音声信号に変換してアンプ８に出力する。アンプ８は、ＤＡＣ７から入力された音声信号を増幅してスピーカ９に出力する。スピーカ９は、アンプ８から入力された音声信号に基づいて音声出力する。
【００４２】
システムコントローラ１０は、マイクロプロセッサ等から構成され、デジタル信号処理回路６、操作部１１、表示部１２、ＴＯＣメモリ１３及び不揮発メモリ１５を制御する。システムコントローラ１０は、ＣＰＵ（Central Processing Unit）、ＲＡＭ（Random Access Memory）、ＲＯＭ（Read Only Memory）等を備える。ＣＰＵは、ＲＯＭに格納されているシステムプログラム及び各種アプリケーションプログラムの中から指定されたプログラムを読み出してＲＡＭに展開し、ＲＡＭに展開されたプログラムとの協働で、各種処理を実行する。このＣＰＵとプログラムとの協働により、制御手段が構成される。
【００４３】
操作部１１は、停止キー、再生キー、早戻しキー、早送りキー等の各種キーを有する操作パネル等から構成され、ユーザの操作入力によって指示された音声データの再生／記録の開始、停止、早送り再生、早戻し再生、グループに属しないトラックの再生等の指示情報をシステムコントローラ１０に出力する。
【００４４】
表示部１２は、ＬＣＤ（Liquid Crystal Display）パネル等から構成され、システムコントローラ１０の制御により、再生時間、トラック番号、ボリューム等の情報を表示する。
【００４５】
ＴＯＣメモリ１３、メモリ１４は、各種情報を記憶するＲＡＭ等により構成されるものとする。ＴＯＣメモリ１３は、光ディスク１から読み出されたＴＯＣ情報（いわゆるUser’s TOC）を記憶する。ＴＯＣメモリ１３は、例えば、光ディスク１に記録された各トラックの開始、終了アドレスや、光ディスク１のディスクタイトルから生成されたグループ情報を記憶する。メモリ１４は、光ディスク１から読み出されてデジタル信号処理回路６によりエラー訂正等を施された音声データ等の情報を記憶する。
【００４６】
不揮発メモリ１５は、ＥＥＰＲＯＭ（Electronically Erasable and Programmable Read Only Memory）等の不揮発性の情報を読み出し及び書き込み可能に記憶するメモリである。
【００４７】
次に、図２を参照して、ＴＯＣメモリ１３に記憶するグループ情報を説明する。図２に、グループ情報の構成を示す。
【００４８】
ＴＯＣメモリ１３に記憶するグループ情報は、グループ管理されているトラックが記憶されている光ディスク１のＴＯＣ領域から読み出されたディスクタイトルに基づいて作成される。また、各トラックには、識別情報としてのトラック番号TNOが付与され、トラックが属する各グループには、識別情報としてのグループ番号GNOが付与されている。
【００４９】
図２にグループ情報の一例を示す。この例において、光ディスク１のディスクタイトルには、「1-5;//6-10;//11-12//14-19;//21…省略…255;//」と記述される。この例では、グループＧ１〜Ｇ９９が存在し、各グループに属する最初のトラックを示すスタートトラック番号STと、そのグループに属する最後のトラックを示すエンドトラック番号ETとが関連付けられている。
【００５０】
また、この例では、全２５５のトラックＴ１〜Ｔ２５５のうち、２５３個のトラックがグループ登録され、トラックＴ１３，Ｔ２０がグループに未登録（どのグループにも属していない）である。また、図２の表の最下段が実際にＴＯＣメモリ１３に記憶されるグループ情報である。このグループ情報は、９９（グループの数）＊２（ST及びET）＝１９８[バイト]で記述できる。
【００５１】
次に、図３及び図４を参照して、再生装置１００の動作を説明する。図３に、第１の再生処理の流れを示す。図４に、第２の再生処理の流れを示す。
【００５２】
図３を参照して、再生装置１００において実行される第１の再生処理を説明する。第１の再生処理は、光ディスク１に記録されたどのグループにも属していないトラックを再生する処理である。予め、グループに属するトラックと、どのグループにも属していないトラックと、が記録されている光ディスク１が再生装置１００にセットされており、その光ディスク１のＴＯＣ領域から読み出されたディスクタイトルに基づいてグループ情報が作成されてＴＯＣメモリ１３に記憶されているものとする。また、ディスクタイトルには、グループに属するトラックに関する情報が記述され、グループ情報もグループに属するトラックに関する情報である。
【００５３】
再生装置１００において、例えば、ユーザから操作部１１を介して、どのグループにも属していないトラックの再生指示が入力されたことをトリガとして、システムコントローラ１０において、ＲＯＭから読み出されて適宜ＲＡＭ上に展開された第１の再生プログラムと、ＣＰＵとの協働により、第１の再生処理が実行される。
【００５４】
先ず、トラック番号TNO＝最小トラック番号MINTNOに設定される（ステップＳ１１）。そして、グループ番号GNO＝１に設定される（ステップＳ１２）。
【００５５】
そして、ＴＯＣメモリ１３に記憶されたグループ情報が参照され、TNO＜ST（GNO）(GNOのグループのスタートトラック)であるか否かが判別される（ステップＳ１３）。TNO＜ST（GNO）でない場合（ステップＳ１３；ＮＯ）、ＴＯＣメモリ１３に記憶されたグループ情報が参照され、ST（GNO）≦TNO≦ET（GNO）(GNOのエンドトラック) であるか否かが判別される（ステップＳ１４）。ST（GNO）≦TNO≦ET（GNO）でない場合（ステップＳ１４；ＮＯ）、ＴＯＣメモリ１３に記憶されたグループ情報が参照され、GNO＝最大グループ番号MAXGNOであるか否かが判別される（ステップＳ１５）。GNO＝MAXGNOでない場合（ステップＳ１５；ＮＯ）、GNO＝GNO+１（インクリメント）に設定され（ステップＳ１６）、ステップＳ１３に移行される。
【００５６】
TNO＜ST（GNO）である場合（ステップＳ１３；ＹＥＳ）、又はGNO＝MAXGNOである場合（ステップＳ１５；ＹＥＳ）、TNOがどのグループにも属していないトラックに対応するので、TNOに対応するトラックが光ピックアップ３等により再生が開始され、スピーカ９から音声出力開始される（ステップＳ１７）。そして、ステップＳ１７におけるトラックの再生が終了したか否かが判別される（ステップＳ１８）。トラックの再生が終了していない場合（ステップＳ１８；ＮＯ）、ステップＳ１８に移行される。
【００５７】
ST（GNO）≦TNO≦ET（GNO）である場合（ステップＳ１４；ＹＥＳ）、又はトラックの再生が終了した場合（ステップＳ１８；ＹＥＳ）、TNO＝TNO＋１に設定される（ステップＳ１９）。そして、TNO＞最大トラック番号MAXTNOであるか否かが判別される（ステップＳ２０）。TNO＞MAXTNOでない場合（ステップＳ２０；ＮＯ）、ステップＳ１３に移行される。TNO＞MAXTNOである場合（ステップＳ２０；ＹＥＳ）、第１の再生処理を終了する。
【００５８】
第１の再生処理では、再生時に、グループに属していないトラック番号を検索する処理で時間を費やすことになる。しかし、実際には、ＭＤの場合、光ディスク１から光ピックアップ３等により音声データが読み出されデジタル信号処理回路６により一旦メモリ１４に蓄積される。そして、圧縮された音声データがメモリ１４から読み出され、デジタル信号処理回路６によりデコードされ、スピーカ９から音声再生出力される。このため、光ディスク１からの音声データ読み出しは、音声再生出力よりも先行することとなる。
【００５９】
ここで、図４を参照して、第２の再生処理を説明する。第２の再生処理は、第１の再生処理とは異なる観点で表現した再生処理であり、グループに属していないトラックの音声データを再生するとともに、再生時の音声データのメモリ１４への蓄積及び読み出しを示す。
【００６０】
例えば、ユーザから操作部１１を介して、どのグループにも属していないトラックの再生指示が入力されたことをトリガとして、システムコントローラ１０において、ＲＯＭから読み出されて適宜ＲＡＭ上に展開された第２の再生プログラムと、ＣＰＵとの協働により、第２の再生処理が実行される。
【００６１】
先ず、次に再生するグループに属していないトラック番号が選択される（ステップＳ３１）。この選択方法は、第１の再生処理と同様である。そして、ステップＳ３１により選択されたトラック番号のトラックの音声データが、光ピックアップ３等により読み出されてデジタル信号処理回路６によりメモリ１４に蓄積開始される（ステップＳ３２）。
【００６２】
そして、スピーカ９から音声出力中か否かが判別される（ステップＳ３３）。音声出力中でない場合（ステップＳ３３；ＮＯ）、所定量（以上）の音声データがメモリ１４に蓄積されているか否かが判別される（ステップＳ３４）。所定量の圧縮された音声データが蓄積されている場合（ステップＳ３４；ＹＥＳ）、メモリ１４に蓄積されている音声データが読み出されてデジタル信号処理回路６によりデコードされてスピーカ９から音声出力開始される（ステップＳ３５）。
【００６３】
音声出力中である場合（ステップＳ３３；ＹＥＳ）、所定量の圧縮された音声データが蓄積されていない場合（ステップＳ３４；ＮＯ）、又はステップＳ３５の実行後、ステップＳ３１で選択中のトラック番号のトラックの音声データがメモリ１４に蓄積（書き込み）完了したか否かが判別される（ステップＳ３６）。選択中のトラックの音声データを蓄積完了していない場合（ステップＳ３６；ＮＯ）、ステップＳ３３に移行される。選択中のトラックの音声データを蓄積完了した場合（ステップＳ３６；ＹＥＳ）、ステップＳ３１に移行される。
【００６４】
第２の再生処理におけるステップＳ３１の処理実行にかかる時間は、見かけ上（ユーザが認識できるのは）、どのグループにも属していない初めの一つのトラックが再生されるとき（１回目）のみで済む。２回目以降のステップＳ３１の処理実行では、既に再生中の音声出力と並行して、ステップＳ３２〜が実行されている。このため、２回目以降のトラック（番号）選択の処理時間は問題とならない。
【００６５】
以上、本実施の形態によれば、光ディスク１に記録されたグループに属していないトラックを再生するにあたり、記録装置、再生専用装置を問わず再生を可能にすることができる。また、グループに属していないトラックのグループ情報をＴＯＣメモリ１３に記憶しないので、ＴＯＣメモリ１３の記憶容量を低減できる。
【００６６】
また、グループに属していないトラックのTOCの見かけの検索時間は、１番目のトラックにしかかからないので、グループに属していないトラックの見かけの検索時間を低減できる。
【００６７】
また、操作部１１を介するグループに属していないトラックの再生指示の入力に基づいて、グループに属していないトラックの再生を行うので、グループに属していないトラックの再生指示を容易に入力できる。
【００６８】
また、グループ情報に基づいて光ディスク１の全データのうちのグループに属していない未検索の一つのデータを検索し、当該検索した一つのデータを再生することを繰り返して再生できる。
【００６９】
（第２の実施の形態）
図５を参照して、本発明に係る第２の実施の形態を説明する。図５に、第３の再生処理の流れを示す。
【００７０】
本実施の形態の装置としては、第１の実施の形態と同様に、再生装置１００を用いる。また、本実施の形態においては、グループ情報を生成しなく、ＴＯＣメモリ１３がグループ情報を記憶しないものとする。
【００７１】
次に、図５を参照して、再生装置１００の動作を説明する。具体的には、再生装置１００において実行される第３の再生処理を説明する。第３の再生処理は、グループ情報を生成及びＴＯＣメモリ１３に記憶することなく、光ディスク１に記録されたどのグループにも属していないトラックを再生する処理である。予め、グループに属するトラックと、どのグループにも属していないトラックと、が記録されている光ディスク１が再生装置１００にセットされているものとする。また、ディスクタイトルには、グループに属するトラックに関する情報が記述される。また光ピックアップ３等により光ディスク１のＴＯＣ領域から最小トラック番号MINTNO、最大トラック番号MAXTNO及びディスクタイトルが参照され、ＴＯＣメモリ１３に記憶されているものとする。
【００７２】
再生装置１００において、例えば、ユーザから操作部１１を介して、どのグループにも属していないトラックの再生指示が入力されたことをトリガとして、システムコントローラ１０において、ＲＯＭから読み出されて適宜ＲＡＭ上に展開された第３の再生プログラムと、ＣＰＵとの協働により、第３の再生処理が実行される。
【００７３】
先ず、ＴＯＣメモリ１３が参照され、トラック番号TNO＝最小トラック番号MINTNOに設定される（ステップＳ４１）。そして、ディスクタイトルが参照され、先頭グループのスタートトラックST、エンドトラックETが読み出される（ステップＳ４２）。
【００７４】
そして、TNO＜STであるか否かが判別される（ステップＳ４３）。TNO＜STでない場合（ステップＳ４３；ＮＯ）、ST≦TNO≦ETであるか否かが判別される（ステップＳ４４）。ST≦TNO≦ETでない場合（ステップＳ４４；ＮＯ）、ディスクタイトルが参照され、次のグループがあるか否かが判別される（ステップＳ４５）。次のグループがある場合（ステップＳ４５；ＹＥＳ）、ディスクタイトルが参照され、次のグループのST、ETが読み出され（ステップＳ４６）、ステップＳ４３に移行される。
【００７５】
TNO＜STである場合（ステップＳ４３；ＹＥＳ）、又は次のグループがない場合（ステップＳ４５；ＮＯ）、TNOがどのグループにも属していないトラックに対応するので、TNOに対応するトラックが光ピックアップ３等により再生が開始され、スピーカ９から音声出力開始される（ステップＳ４７）。そして、ステップＳ４７におけるトラックの再生が終了したか否かが判別される（ステップＳ４８）。トラックの再生が終了していない場合（ステップＳ４８；ＮＯ）、ステップＳ４８に移行される。
【００７６】
ST≦TNO≦ETである場合（ステップＳ４４；ＹＥＳ）、又はトラックの再生が終了した場合（ステップＳ４８；ＹＥＳ）、TNO＝TNO＋１に設定される（ステップＳ４９）。そして、ＴＯＣメモリ１３が参照され、TNO＞最大トラック番号MAXTNOであるか否かが判別される（ステップＳ５０）。TNO＞MAXTNOでない場合（ステップＳ４０；ＮＯ）、ステップＳ４３に移行される。TNO＞MAXTNOである場合（ステップＳ５０；ＹＥＳ）、第３の再生処理を終了する。
【００７７】
本実施の形態によれば、光ディスク１に記録されたグループに属していないトラックを再生するにあたり、記録装置、再生専用装置を問わず再生を可能にすることができる。
【００７８】
（第３の実施の形態）
図６を参照して、本発明に係る第３の実施の形態を説明する。図６に、リジューム再生処理の流れを示す。
【００７９】
本実施の形態の装置としては、第１の実施の形態と同様に、再生装置１００を用いるが、再生装置１００は、リジューム再生機能を有するものとする。リジューム再生とは、再生中の停止入力によりその再生を停止した場合に、トラックの停止位置情報を不揮発メモリ１５に記憶しておき、再生入力により再生を再開する場合に、停止位置情報に基づいて停止位置から再生を再開する機能である。
【００８０】
図６を参照して、本実施の形態における再生装置１００の動作を説明する。具体的には、再生装置１００において実行されるリジューム再生処理を説明する。リジューム再生処理は、光ディスク１に記録されたどのグループにも属していないトラックをリジューム再生する処理である。予め、グループに属するトラックと、どのグループにも属していないトラックと、が記録されている光ディスク１が再生装置１００にセットされており、その光ディスク１のＴＯＣ領域から読み出されたディスクタイトルに基づいてグループ情報が作成されてＴＯＣメモリ１３に記憶されているものとする。また、ディスクタイトルには、グループに属するトラックに関する情報が記述され、グループ情報もグループに属するトラックに関する情報である。
【００８１】
また、予め、第１の再生処理において、どのグループにも属していないトラックの再生中に、操作部１１を介して再生の停止指示が入力され、光ディスク１上の停止位置情報及びその再生中のトラックのトラック番号TNOが不揮発メモリ１５に記憶されているものとする。
【００８２】
再生装置１００において、例えば、ユーザから操作部１１を介して、どのグループにも属していないトラックのリジューム再生指示が入力されたことをトリガとして、システムコントローラ１０において、ＲＯＭから読み出されて適宜ＲＡＭ上に展開されたリジューム再生プログラムと、ＣＰＵとの協働により、リジューム再生処理が実行される。
【００８３】
先ず、予め不揮発メモリ１５に記憶されたTNOが読み出され、TNO＝読み出されたTNOに設定される（ステップＳ６１）。そして、グループ番号GNO＝１に設定され、又はグループ番号GNOが予め不揮発メモリ１５に記憶されたGNOに設定される（ステップＳ６２）。
【００８４】
そして、TNOに対応するトラックが光ピックアップ３等により再生が開始され、スピーカ９から音声出力される（ステップＳ６３）。但し、初めてステップＳ６３を実行する場合には、不揮発メモリ１５から停止位置情報が読み出され、TNOに対応するトラックについて停止位置情報の停止位置から再生が再開される。ステップＳ６４〜Ｓ７０は、それぞれ順に、第１の再生処理のステップＳ１８〜Ｓ２０，Ｓ１３〜Ｓ１６と同様である。
【００８５】
以上、本実施の形態によれば、グループに属していないトラックのリジューム再生を行うことができる。
【００８６】
（第４の実施の形態）
図７を参照して、本発明に係る第４の実施の形態を説明する。図７に、リピート再生処理の流れを示す。
【００８７】
本実施の形態の装置としては、第１の実施の形態と同様に、再生装置１００を用いるが、再生装置１００は、リピート再生機能を有するものとする。リピート再生とは、少なくとも一つのトラックを繰り返し再生する機能である。
【００８８】
図７を参照して、本実施の形態における再生装置１００の動作を説明する。具体的には、再生装置１００において実行されるリピート再生処理を説明する。リピート再生処理は、光ディスク１に記録されたどのグループにも属していないトラックをリピート再生する処理である。予め、グループに属するトラックと、どのグループにも属していないトラックと、が記録されている光ディスク１が再生装置１００にセットされており、その光ディスク１のＴＯＣ領域から読み出されたディスクタイトルに基づいてグループ情報が作成されてＴＯＣメモリ１３に記憶されているものとする。また、ディスクタイトルには、グループに属するトラックに関する情報が記述され、グループ情報もグループに属するトラックに関する情報である。
【００８９】
再生装置１００において、例えば、ユーザから操作部１１を介して、どのグループにも属していないトラックのリピート再生指示が入力されたことをトリガとして、システムコントローラ１０において、ＲＯＭから読み出されて適宜ＲＡＭ上に展開されたリピート再生プログラムと、ＣＰＵとの協働により、リピート再生処理が実行される。
【００９０】
ステップＳ８１〜Ｓ９０は、それぞれ順に、第１の再生処理のステップＳ１１〜Ｓ２０と同様である。但し、TNO＞MAXTNOである場合（ステップＳ９０；ＹＥＳ）、ステップＳ８１に移行される。
【００９１】
以上、本実施の形態によれば、グループに属していないトラックのリピート再生を行うことができる。
【００９２】
なお、上記各実施の形態における記述は、本発明に係る再生装置及び再生プログラムの一例であり、これに限定されるものではない。
【００９３】
例えば、光ディスク１としてＭＤを用いる構成であったが、これに限定されるものではない。他の記録媒体でも、MINTNOからMAXTNOまで連続したトラック番号を持ち、連続したTNOの範囲をグループとし、一つのTNOは重複して複数のグループに属さず、昇順でグループ情報を記述する仕組みのものであれば適用可能である。例えば、ＣＤ、ＣＤ−Ｒ／ＲＷ（Recordable／ReWritable）、ＤＶＤ（Digital Versatile Disc）、ＤＶＤ−Ｒ／ＲＷ、青色レーザを用いる次世代高密度情報記録媒体等の光情報記録媒体や、フラッシュメモリを利用したメモリキー、メモリカード等の半導体メモリや、ＨＤＤ（Hard Disk Drive）等の磁気記録媒体、等の記録媒体としてもよい。
【００９４】
また、上記各実施の形態において、光ディスク１に記録されるグループ管理情報は、ＴＯＣ領域のディスクタイトルに記述する構成としたが、これに限定されるものではなく、グループ管理情報が、光ディスク１に、他の領域、他の記述形式で記録されることとしてもよい。
【００９５】
また、再生対象の単位となるデータは、音声データのトラックに限定されるものではなく、動画や、複数の静止画（例えば、スライドショー）の画像データのファイルとしてもよい。この場合には、表示手段により複数の画像データを順に表示していくことにより再生する。さらに、再生対象の単位となるデータは、音声付の動画の画像データのファイルとする構成としてもよい。
【００９６】
その他、上記実施の形態における再生装置１００の細部構成、および詳細動作に関しても、本発明の趣旨を逸脱しない範囲で適宜変更可能である。
【図面の簡単な説明】
【００９７】
【図１】本発明に係る実施の形態の再生装置１００の構成を示すブロック図である。
【図２】グループ情報の構成を示す図である。
【図３】第１の再生処理を示すフローチャートである。
【図４】第２の再生処理を示すフローチャートである。
【図５】第３の再生処理を示すフローチャートである。
【図６】リジューム再生処理を示すフローチャートである。
【図７】リピート再生処理を示すフローチャートである。
【図８】（ａ）は、正しいグループ管理の一例を示す図である。（ｂ）は、誤ったグループ管理の一例を示す図である。
【図９】（ａ）は、未登録集合を含むグループ情報を示す図である。（ｂ）は、ポインタ及びトラック番号の配列を示す図である。
【符号の説明】
【００９８】
１００  再生装置
１  光ディスク
２  スピンドルモータ
３  光ピックアップ
４  送りモータ
５  ＲＦアンプ
６  デジタル信号処理回路
７  ＤＡＣ
８  アンプ
９  スピーカ
１０  システムコントローラ
１１  操作部
１２  表示部
１３  ＴＯＣメモリ
１４  メモリ
１５  不揮発メモリ
【図１】
2007004890.tif 000003
【図２】
2007004890.tif 000004
【図３】
2007004890.tif 000005
【図４】
2007004890.tif 000006
【図５】
2007004890.tif 000007
【図６】
2007004890.tif 000008
【図７】
2007004890.tif 000009
【図８】
2007004890.tif 000010
【図９】
2007004890.tif 000011